(57)【要約】【課題】  異常電流（過電流或いは不足電流）検出を精度良く行うことが可能な方法及び装置を提供する。【解決手段】  装置１に流れる電流値を計測し、計測された電流値に所定のマージンを加算・減算し、求めた値を過電流検出と不足電流検出のしきい値としてそれぞれ設定する。装置１に流れる電流値が、過電流検出しきい値を上回るか、又は、不足電流検出しきい値を下回った場合に、異常電流状態と判定する。【選択図】    図１
2005094950.tif 000002
【特許請求の範囲】
【請求項１】
装置の過電流を異常電流として検出するための方法において、
前記装置に流れる電流値を計測する電流値計測工程と、
前記電流値計測工程によって計測された電流値よりも所定のマージンだけ大きい値を前記装置における過電流の検出しきい値として設定する検出しきい値設定工程と、
を備え、
前記装置に流れる電流値が、前記検出しきい値設定工程により設定された過電流検出しきい値を上回った場合に、異常電流状態と判定することを特徴とする異常電流検出方法。
【請求項２】
装置の不足電流を異常電流として検出するための方法において、
前記装置に流れる電流値を計測する電流値計測工程と、
前記電流値計測工程によって計測された電流値よりも所定のマージンだけ小さい値を前記装置における不足電流の検出しきい値として設定する検出しきい値設定工程と、
を備え、
前記装置に流れる電流値が、前記検出しきい値設定工程により設定された不足電流検出しきい値を下回った場合に、異常電流状態と判定することを特徴とする異常電流検出方法。
【請求項３】
装置の過電流及び不足電流を異常電流として検出するための方法において、
前記装置に流れる電流値を計測する電流値計測工程と、
前記電流値計測工程によって計測された電流値よりも所定のマージンだけ大きい値並びに小さい値を前記装置における過電流と不足電流の検出しきい値としてそれぞれ設定する検出しきい値設定工程と、
を備え、
前記装置に流れる電流値が、前記検出しきい値設定工程により設定された過電流検出しきい値を上回るか、又は、前記検出しきい値設定工程により設定された不足電流検出しきい値を下回った場合に、異常電流状態と判定することを特徴とする異常電流検出方法。
【請求項４】
前記異常電流状態と判定された場合に、前記装置の電源遮断を行うことを特徴とする請求項１乃至３のいずれか一項に記載の異常電流検出方法。
【請求項５】
前記装置の電源遮断後、
再度電源投入された際にも前記異常電流状態と判定された場合には、前記装置へのその後の電源投入トリガを無効化することを特徴とする請求項４に記載の異常電流検出方法。
【請求項６】
前記装置は、複数種類の動作モードで動作可能に構成され、
各動作モード毎に別個に、前記電流値計測工程及び前記検出しきい値設定工程を行うとともに、
各動作モード毎の前記検出しきい値設定工程にて設定された検出しきい値をそれぞれテーブルに記憶させる記憶工程と、
前記装置が何れの動作モードにあるかを判定する動作モード判定工程と、
を更に備え、
前記動作モード判定工程にて判定された動作モードに応じて、前記テーブルに記憶された対応する検出しきい値を参照し、前記異常電流状態の判定を行うことを特徴とする請求項１乃至５のいずれか一項に記載の異常電流検出方法。
【請求項７】
前記テーブルには、予め各動作モード毎の検出しきい値の初期値を記憶しておき、
前記電流値計測工程及び前記検出しきい値設定工程は、各動作モード毎に、当該動作モードの初回実行の際の１度だけ行い、このうち検出しきい値設定工程では、対応する動作モードの前記初期値を更新することによって、検出しきい値の設定を行うことを特徴とする請求項６に記載の異常電流検出方法。
【請求項８】
前記装置は、別個に電源供給がなされる複数のブロックを備えて構成され、
前記装置の各ブロック毎に別個に、前記異常電流状態の判定を行うことを特徴とする請求項１乃至７のいずれか一項に記載の異常電流検出方法。
【請求項９】
前記異常電流状態と判定されたブロックのみ電源遮断を行うことを特徴とする請求項８に記載の異常電流検出方法。
【請求項１０】
前記複数のブロックには、表示部を有する表示ブロックが含まれ、
前記表示ブロック以外のブロックが異常電流状態であると判定された場合には、該異常電流状態が発生した旨を前記表示部における表示により報知するための制御を行うことを特徴とする請求項８又は９に記載の異常電流検出方法。
【請求項１１】
前記複数のブロックには、発音動作が可能な発音ブロックが含まれ、
前記発音ブロック以外のブロックが異常電流状態であると判定された場合には、該異常電流状態が発生した旨を前記発音ブロックの発音動作により報知するための制御を行うことを特徴とする請求項８乃至１０のいずれか一項に記載の異常電流検出方法。
【請求項１２】
前記所定のマージンには、
必要最低の許容量の他には、電源電圧のバラツキを考慮した値のみが含まれていることを特徴とする請求項１乃至１１のいずれか一項に記載の異常電流検出方法。
【請求項１３】
前記所定のマージンには、
必要最低の許容量の他には、前記装置の使用温度条件によるバラツキを考慮した値のみが含まれていることを特徴とする請求項１乃至１１のいずれか一項に記載の異常電流検出方法。
【請求項１４】
前記所定のマージンには、
必要最低の許容量の他には、前記装置の使用温度条件によるバラツキ及び電源電圧のバラツキを考慮した値のみが含まれていることを特徴とする請求項１乃至１１のいずれか一項に記載の異常電流検出方法。
【請求項１５】
前記装置の使用温度に応じて検出しきい値をそれぞれ補正するための補正係数をテーブルに記憶しておくとともに、
前記装置の使用温度を計測する温度計測工程と、
前記温度計測工程により計測された使用温度に応じた補正係数を前記テーブルより参照し、該参照した補正係数を用いて検出しきい値を補正する検出しきい値補正工程と、
を更に備え、
前記検出しきい値補正工程によって補正された検出しきい値を用いて、前記異常電流状態の判定を行うことを特徴とする請求項１乃至１２のいずれか一項に記載の異常電流検出方法。
【請求項１６】
電気的に駆動する電気的駆動装置において、
当該電気的駆動装置に流れる電流値を計測する電流値計測手段と、
前記電流値計測手段によって計測された電流値よりも所定のマージンだけ大きい値を当該電気的駆動装置における過電流の検出しきい値として設定する検出しきい値設定手段と、
当該電気的駆動装置に流れる電流値が前記検出しきい値設定手段により設定された過電流検出しきい値を上回った場合に異常電流状態と判定する異常電流判定手段と、
を備えることを特徴とする電気的駆動装置。
【請求項１７】
電気的に駆動する電気的駆動装置において、
当該電気的駆動装置に流れる電流値を計測する電流値計測手段と、
前記電流値計測手段によって計測された電流値よりも所定のマージンだけ小さい値を当該電気的駆動装置における不足電流の検出しきい値として設定する検出しきい値設定手段と、
当該電気的駆動装置に流れる電流値が前記検出しきい値設定手段により設定された不足電流検出しきい値を下回った場合に異常電流状態と判定する異常電流判定手段と、
を備えることを特徴とする電気的駆動装置。
【請求項１８】
電気的に駆動する電気的駆動装置において、
当該電気的駆動装置に流れる電流値を計測する電流値計測手段と、
前記電流値計測手段によって計測された電流値よりも所定のマージンだけ大きい値並びに小さい値を当該電気的駆動装置における過電流と不足電流の検出しきい値としてそれぞれ設定する検出しきい値設定手段と、
当該電気的駆動装置に流れる電流値が前記検出しきい値設定手段により設定された過電流検出しきい値を上回るか又は前記検出しきい値設定工程により設定された不足電流検出しきい値を下回った場合に異常電流状態と判定する異常電流判定手段と、
を備えることを特徴とする電気的駆動装置。
【請求項１９】
前記異常電流判定手段により異常電流状態と判定された場合に、当該電気的駆動装置の電源遮断を行う電源遮断手段を備えることを特徴とする請求項１６乃至１８のいずれか一項に記載の電気的駆動装置。
【請求項２０】
前記電源遮断手段による電源遮断後、再度電源投入された際にも前記異常電流判定手段により異常電流状態と判定された場合に、当該電気的駆動装置へのその後の電源投入トリガを無効化する電源投入無効化手段を備えることを特徴とする請求項１９に記載の電気的駆動装置。
【請求項２１】
当該電気的駆動装置は、複数種類の動作モードで動作可能に構成され、
各動作モード毎に別個に、前記電流値計測手段は電流値の計測を、前記検出しきい値設定手段は検出しきい値の設定を、それぞれ行い、
各動作モード毎に前記検出しきい値設定手段により設定された検出しきい値をそれぞれ記憶する検出しきい値記憶テーブルと、
当該電気的駆動装置が何れの動作モードにあるかを判定する動作モード判定手段と、
を更に備え、
前記異常電流判定手段は、
前記動作モード判定手段により判定された動作モードに応じて、前記検出しきい値記憶テーブルに記憶された対応する検出しきい値を参照し、前記異常電流状態の判定を行うことを特徴とする請求項１６乃至２０のいずれか一項に記載の電気的駆動装置。
【請求項２２】
前記検出しきい値記憶テーブルには、予め各動作モード毎の検出しきい値の初期値が記憶され、
前記電流値計測手段及び前記検出しきい値設定手段は、各動作モード毎に、当該動作モードの初回実行の際の１度だけ電流値の計測及び検出しきい値の設定を行い、このうち検出しきい値設定手段による検出しきい値の設定は、対応する動作モードの前記初期値を更新することにより行うことを特徴とする請求項２１に記載の電気的駆動装置。
【請求項２３】
当該電気的駆動装置は、別個に電源供給がなされる複数のブロックを備えて構成され、
前記異常電流判定手段は、各ブロック毎に別個に、前記異常電流状態の判定を行うことを特徴とする請求項１６乃至２２のいずれか一項に記載の電気的駆動装置。
【請求項２４】
前記異常電流判定手段により前記異常電流状態と判定されたブロックのみ電源遮断を行うことを特徴とする請求項２３に記載の電気的駆動装置。
【請求項２５】
前記複数のブロックには、表示部を有する表示ブロックが含まれ、
前記表示ブロック以外のブロックが異常電流状態であると判定された場合に、該異常電流状態が発生した旨を前記表示部における表示により報知するための制御を行う表示報知制御手段を備えることを特徴とする請求項２３又は２４に記載の電気的駆動装置。
【請求項２６】
前記複数のブロックには、発音動作が可能な発音ブロックが含まれ、
前記発音ブロック以外のブロックが異常電流状態であると判定された場合に、該異常電流状態が発生した旨を前記発音ブロックの発音動作により報知するための制御を行う発音報知制御手段を備えることを特徴とする請求項２３乃至２５のいずれか一項に記載の電気的駆動装置。
【請求項２７】
前記所定のマージンには、
必要最低の許容量の他には、電源電圧のバラツキを考慮した値のみが含まれていることを特徴とする請求項１６乃至２６のいずれか一項に記載の電気的駆動装置。
【請求項２８】
前記所定のマージンには、
必要最低の許容量の他には、当該電気的駆動装置の使用温度条件によるバラツキを考慮した値のみが含まれていることを特徴とする請求項１６乃至２６のいずれか一項に記載の電気的駆動装置。
【請求項２９】
前記所定のマージンには、
必要最低の許容量の他には、前記装置の使用温度条件によるバラツキ及び電源電圧のバラツキを考慮した値のみが含まれていることを特徴とする請求項１６乃至２６のいずれか一項に記載の電気的駆動装置。
【請求項３０】
当該電気的駆動装置の使用温度に応じて検出しきい値を補正するための補正係数をそれぞれ記憶する補正係数記憶テーブルと、
当該電気的駆動装置の使用温度を計測する温度計測手段と、
前記温度計測手段により計測される使用温度に応じた補正係数を前記補正係数記憶テーブルより参照し、該参照した補正係数を用いて検出しきい値を補正する検出しきい値補正手段と、
を更に備え、
前記異常電流判定手段は、
前記検出しきい値補正手段によって補正された検出しきい値を用いて、前記異常電流状態の判定を行うことを特徴とする請求項１６乃至２７のいずれか一項に記載の電気的駆動装置。
【請求項３１】
当該電気的駆動装置は、携帯情報端末装置であることを特徴とする請求項１６乃至３０のいずれか一項に記載の電気的駆動装置。
【請求項３２】
当該電気的駆動装置は、携帯電話機であることを特徴とする請求項３１に記載の電気的駆動装置。
【発明の詳細な説明】
【技術分野】
【０００１】
本発明は、異常電流検出方法及び電気的駆動装置に関する。
【背景技術】
【０００２】
従来、装置の異常電流を検出するための技術としては、装置の動作モード毎に過電流の検出しきい値をテーブルに記憶しておき、装置に流れる電流の計測値が、その動作モードに応じたしきい値を上回るか否かの判定を、テーブルを参照することにより行い、上回った場合に過電流状態と判定する技術がある（例えば、特許文献１、２参照）。
【特許文献１】特開平５−３０７３４号公報（請求項１、図１）
【特許文献２】特開平５−２７６６４６号公報（請求項１、図２）
【発明の開示】
【発明が解決しようとする課題】
【０００３】
ところで、過電流の検出しきい値は、ある程度のマージンを考慮した値とする必要がある。このマージンは、必要最低の許容量の他に、例えば、装置の使用温度条件に応じたバラツキや、装置毎の電流特性や電流検出手段毎の検出特性によるバラツキも考慮した値とする必要がある。
【０００４】
従来は、このように多くの要素を考慮したマージンを設定する必要があったので、過電流検出を精度良く行うことは困難であった。
【０００５】
また、従来は、異常電流として過電流のみを検出する技術しかなく、不足電流を検出することはできなかった。
【０００６】
本発明は、上記のような問題点を解決するためになされたもので、異常電流（過電流或いは不足電流）を精度良く検出することが可能な異常電流検出方法及び電気的駆動装置を提供することを目的とする。
【課題を解決するための手段】
【０００７】
上記課題を解決するため、本発明の異常電流検出方法は、装置の過電流を異常電流として検出するための方法において、前記装置に流れる電流値を計測する電流値計測工程と、前記電流値計測工程によって計測された電流値よりも所定のマージンだけ大きい値を前記装置における過電流の検出しきい値として設定する検出しきい値設定工程と、を備え、前記装置に流れる電流値が、前記検出しきい値設定工程により設定された過電流検出しきい値を上回った場合に、異常電流状態と判定することを特徴としている。
【０００８】
また、本発明の異常電流検出方法は、装置の不足電流を異常電流として検出するための方法において、前記装置に流れる電流値を計測する電流値計測工程と、前記電流値計測工程によって計測された電流値よりも所定のマージンだけ小さい値を前記装置における不足電流の検出しきい値として設定する検出しきい値設定工程と、を備え、前記装置に流れる電流値が、前記検出しきい値設定工程により設定された不足電流検出しきい値を下回った場合に、異常電流状態と判定することを特徴としている。
【０００９】
また、本発明の異常電流検出方法は、装置の過電流及び不足電流を異常電流として検出するための方法において、前記装置に流れる電流値を計測する電流値計測工程と、前記電流値計測工程によって計測された電流値よりも所定のマージンだけ大きい値並びに小さい値を前記装置における過電流と不足電流の検出しきい値としてそれぞれ設定する検出しきい値設定工程と、を備え、前記装置に流れる電流値が、前記検出しきい値設定工程により設定された過電流検出しきい値を上回るか、又は、前記検出しきい値設定工程により設定された不足電流検出しきい値を下回った場合に、異常電流状態と判定することを特徴としている。
【００１０】
本発明の異常電流検出方法においては、前記異常電流状態と判定された場合に、前記装置の電源遮断を行うことが好ましい。
【００１１】
この場合、前記装置の電源遮断後、再度電源投入された際にも前記異常電流状態と判定された場合には、前記装置へのその後の電源投入トリガを無効化することが好ましい。
【００１２】
本発明の異常電流検出方法においては、前記装置は、複数種類の動作モードで動作可能に構成され、各動作モード毎に別個に、前記電流値計測工程及び前記検出しきい値設定工程を行うとともに、各動作モード毎の前記検出しきい値設定工程にて設定された検出しきい値をそれぞれテーブルに記憶させる記憶工程と、前記装置が何れの動作モードにあるかを判定する動作モード判定工程と、を更に備え、前記動作モード判定工程にて判定された動作モードに応じて、前記テーブルに記憶された対応する検出しきい値を参照し、前記異常電流状態の判定を行うことが好ましい。
【００１３】
この場合、前記テーブルには、予め各動作モード毎の検出しきい値の初期値を記憶しておき、前記電流値計測工程及び前記検出しきい値設定工程は、各動作モード毎に、当該動作モードの初回実行の際の１度だけ行い、このうち検出しきい値設定工程では、対応する動作モードの前記初期値を更新することによって、検出しきい値の設定を行うことが好ましい。
【００１４】
また、本発明の異常電流検出方法は、前記装置は、別個に電源供給がなされる複数のブロックを備えて構成され、前記装置の各ブロック毎に別個に、前記異常電流状態の判定を行うことが好ましい。
【００１５】
この場合、前記異常電流状態と判定されたブロックのみ電源遮断を行うことが好ましい。
【００１６】
また、この場合、前記複数のブロックには、表示部を有する表示ブロックが含まれ、前記表示ブロック以外のブロックが異常電流状態であると判定された場合には、該異常電流状態が発生した旨を前記表示部における表示により報知するための制御を行うことが好ましい。
【００１７】
また、この場合、前記複数のブロックには、発音動作が可能な発音ブロックが含まれ、前記発音ブロック以外のブロックが異常電流状態であると判定された場合には、該異常電流状態が発生した旨を前記発音ブロックの発音動作により報知するための制御を行うことが好ましい。
【００１８】
本発明の異常電流検出方法においては、前記所定のマージンには、必要最低の許容量の他には、電源電圧のバラツキを考慮した値のみが含まれていることを好ましい一例とする。
【００１９】
或いは、本発明の異常電流検出方法においては、前記所定のマージンには、必要最低の許容量の他には、前記装置の使用温度条件によるバラツキを考慮した値のみが含まれていることも好ましい。
【００２０】
或いは、本発明の異常電流検出方法においては、前記所定のマージンには、必要最低の許容量の他には、前記装置の使用温度条件によるバラツキ及び電源電圧のバラツキを考慮した値のみが含まれていることも好ましい。
【００２１】
また、本発明の異常電流検出方法においては、前記装置の使用温度に応じて検出しきい値をそれぞれ補正するための補正係数をテーブルに記憶しておくとともに、前記装置の使用温度を計測する温度計測工程と、前記温度計測工程により計測された使用温度に応じた補正係数を前記テーブルより参照し、該参照した補正係数を用いて検出しきい値を補正する検出しきい値補正工程と、を更に備え、前記検出しきい値補正工程によって補正された検出しきい値を用いて、前記異常電流状態の判定を行うことも好ましい。
【００２２】
また、本発明の電気的駆動装置は、電気的に駆動する電気的駆動装置において、当該電気的駆動装置に流れる電流値を計測する電流値計測手段と、前記電流値計測手段によって計測された電流値よりも所定のマージンだけ大きい値を当該電気的駆動装置における過電流の検出しきい値として設定する検出しきい値設定手段と、当該電気的駆動装置に流れる電流値が前記検出しきい値設定手段により設定された過電流検出しきい値を上回った場合に異常電流状態と判定する異常電流判定手段と、を備えることを特徴としている。
【００２３】
また、本発明の電気的駆動装置は、電気的に駆動する電気的駆動装置において、当該電気的駆動装置に流れる電流値を計測する電流値計測手段と、前記電流値計測手段によって計測された電流値よりも所定のマージンだけ小さい値を当該電気的駆動装置における不足電流の検出しきい値として設定する検出しきい値設定手段と、当該電気的駆動装置に流れる電流値が前記検出しきい値設定手段により設定された不足電流検出しきい値を下回った場合に異常電流状態と判定する異常電流判定手段と、を備えることを特徴としている。
【００２４】
また、本発明の電気的駆動装置は、電気的に駆動する電気的駆動装置において、当該電気的駆動装置に流れる電流値を計測する電流値計測手段と、前記電流値計測手段によって計測された電流値よりも所定のマージンだけ大きい値並びに小さい値を当該電気的駆動装置における過電流と不足電流の検出しきい値としてそれぞれ設定する検出しきい値設定手段と、当該電気的駆動装置に流れる電流値が前記検出しきい値設定手段により設定された過電流検出しきい値を上回るか又は前記検出しきい値設定工程により設定された不足電流検出しきい値を下回った場合に異常電流状態と判定する異常電流判定手段と、を備えることを特徴としている。
【００２５】
本発明の電気的駆動装置においては、前記異常電流判定手段により異常電流状態と判定された場合に、当該電気的駆動装置の電源遮断を行う電源遮断手段を備えることが好ましい。
【００２６】
この場合、前記電源遮断手段による電源遮断後、再度電源投入された際にも前記異常電流判定手段により異常電流状態と判定された場合に、当該電気的駆動装置へのその後の電源投入トリガを無効化する電源投入無効化手段を備えることが好ましい。
【００２７】
また、本発明の電気的駆動装置は、複数種類の動作モードで動作可能に構成され、各動作モード毎に別個に、前記電流値計測手段は電流値の計測を、前記検出しきい値設定手段は検出しきい値の設定を、それぞれ行い、各動作モード毎に前記検出しきい値設定手段により設定された検出しきい値をそれぞれ記憶する検出しきい値記憶テーブルと、当該電気的駆動装置が何れの動作モードにあるかを判定する動作モード判定手段と、を更に備え、前記異常電流判定手段は、前記動作モード判定手段により判定された動作モードに応じて、前記検出しきい値記憶テーブルに記憶された対応する検出しきい値を参照し、前記異常電流状態の判定を行うことが好ましい。
【００２８】
この場合、前記検出しきい値記憶テーブルには、予め各動作モード毎の検出しきい値の初期値が記憶され、前記電流値計測手段及び前記検出しきい値設定手段は、各動作モード毎に、当該動作モードの初回実行の際の１度だけ電流値の計測及び検出しきい値の設定を行い、このうち検出しきい値設定手段による検出しきい値の設定は、対応する動作モードの前記初期値を更新することにより行うことが好ましい。
【００２９】
また、本発明の電気的駆動装置は、別個に電源供給がなされる複数のブロックを備えて構成され、前記異常電流判定手段は、各ブロック毎に別個に、前記異常電流状態の判定を行うことが好ましい。
【００３０】
この場合、前記異常電流判定手段により前記異常電流状態と判定されたブロックのみ電源遮断を行うことが好ましい。
【００３１】
また、本発明の電気的駆動装置においては、前記複数のブロックには、表示部を有する表示ブロックが含まれ、前記表示ブロック以外のブロックが異常電流状態であると判定された場合に、該異常電流状態が発生した旨を前記表示部における表示により報知するための制御を行う表示報知制御手段を備えることが好ましい。
【００３２】
また、本発明の電気的駆動装置においては、前記複数のブロックには、発音動作が可能な発音ブロックが含まれ、前記発音ブロック以外のブロックが異常電流状態であると判定された場合に、該異常電流状態が発生した旨を前記発音ブロックの発音動作により報知するための制御を行う発音報知制御手段を備えることが好ましい。
【００３３】
また、本発明の電気的駆動装置においては、前記所定のマージンには、必要最低の許容量の他には、電源電圧のバラツキを考慮した値のみが含まれていることを好ましい一例とする。
【００３４】
また、本発明の電気的駆動装置においては、前記所定のマージンには、必要最低の許容量の他には、当該電気的駆動装置の使用温度条件によるバラツキを考慮した値のみが含まれていることも好ましい。
【００３５】
また、本発明の電気的駆動装置においては、前記所定のマージンには、必要最低の許容量の他には、前記装置の使用温度条件によるバラツキ及び電源電圧のバラツキを考慮した値のみが含まれていることも好ましい。
【００３６】
また、本発明の電気的駆動装置においては、当該電気的駆動装置の使用温度に応じて検出しきい値を補正するための補正係数をそれぞれ記憶する補正係数記憶テーブルと、当該電気的駆動装置の使用温度を計測する温度計測手段と、前記温度計測手段により計測される使用温度に応じた補正係数を前記補正係数記憶テーブルより参照し、該参照した補正係数を用いて検出しきい値を補正する検出しきい値補正手段と、を更に備え、前記異常電流判定手段は、前記検出しきい値補正手段によって補正された検出しきい値を用いて、前記異常電流状態の判定を行うことが好ましい。
【００３７】
本発明の電気的駆動装置は、例えば、携帯情報端末装置、より具体的には携帯電話機であることが挙げられる。
【発明の効果】
【００３８】
本発明によれば、電気的駆動装置（装置）に流れる電流値を計測し、計測された電流値よりも所定のマージンだけ大きい値並びに小さい値を過電流と不足電流の検出しきい値としてそれぞれ設定するので、これら設定される過電流検出しきい値及び不足電流検出しきい値は、個々の電気的駆動装置（装置）の電流特性のバラツキ並びに個々の電流値計測手段による計測（検出）精度のバラツキを考慮したマージンを含まない値とすることができる。
【００３９】
そして、電気的駆動装置（装置）に流れる電流値が、設定された過電流検出しきい値を上回るか、又は、設定された不足電流検出しきい値を下回った場合に、異常電流状態と判定するので、異常電流の検出を精度良く行うことができる。
【００４０】
また、特に、電気的駆動装置（装置）に流れる電流値が設定された不足電流検出しきい値を下回った場合に異常電流状態と判定するので、従来は不可能であった不足電流の検出を行うことができる。
【発明を実施するための最良の形態】
【００４１】
以下、図面を参照して、本発明に係る実施形態について説明する。
【００４２】
本実施形態では、本発明に係る電気的駆動装置の好適な一例としての携帯電話機と、本発明に係る異常電流検出方法と、について説明する。
【００４３】
〔第１の実施形態〕
図１は本実施形態に係る携帯電話機（装置、電気的駆動装置、携帯情報端末装置）１を示すブロック図である。
【００４４】
携帯電話機１は、通話や電子メールの送受信といった通信機能を備え、例えば、待ち受け状態、音声通話状態、パケット通信状態、電子メール作成状態といった複数種類の動作モードで動作可能に構成されている。
【００４５】
この携帯電話機１は、図１に示すように、制御部２を含む主要部３と、この主要部３に電源供給する電源４（例えば、二次電池からなる）と、この電源４から主要部３への電源供給をＯＮ／ＯＦＦ切り替えするための電源スイッチ（電源遮断手段）５と、電源４から主要部３に供給される電流値を検出するための電流検出部（電流値計測手段）６と、を備えている。
【００４６】
このうち主要部３は、制御部２の他にも、図示は省略するが、例えば、各種の表示を行う表示部、通話操作や電子メールの作成或いは送信操作といった各種操作をユーザが行うための操作部、当該携帯電話機１と外部（具体的には、例えば携帯電話用基地局）との間で通話や電子メールに関する無線信号を送受信するためのアンテナ、通話の際に相手方より受信される音声を発音する受話部、通話の際に相手方に送信される音声を検出する送話部を備えている。
【００４７】
制御部２は、携帯電話機１が備える各構成要素を統括的に制御するＣＰＵ（検出しきい値設定手段、異常電流判定手段、電源遮断手段、動作モード判定手段）２１と、電流値テーブル２２（テーブル、検出しきい値記憶テーブル）と、を備えている。
【００４８】
電源スイッチ（電源遮断手段）５は、電源４から主要部３に至る電源線７に設けられ、ＣＰＵ２１からの制御信号によりＯＮ／ＯＦＦ状態の切り替え制御がなされる。電源スイッチ５がＯＮの場合には電源４から主要部３へ電源供給がなされ（携帯電話機１が電源ＯＮ状態となり）、電源スイッチ５がＯＦＦの場合には電源４から主要部３への電流供給が完全に遮断される（携帯電話機１が電源ＯＦＦ状態となる）。
【００４９】
電流検出部６は、例えば、電源線７において電源スイッチ５と主要部３との間に設けられている。この電流検出部６は、電源４から主要部３に供給される電流値を検出し、その検出値を制御部２に入力する。
【００５０】
図２に示すように、制御部２の電流値テーブル２２は、携帯電話機１の各動作モード毎に、最小電流値（ＭＩＮ；不足電流の検出しきい値）と、最大電流値（ＭＡＸ；過電流の検出しきい値）と、を記憶する。
【００５１】
なお、初期状態の電流値テーブル２２には、各動作モード毎の最小電流値及び最大電流値（検出しきい値）の初期値を予め記憶している。
【００５２】
ここで、この初期値には、基準となるマージン（必要最低の許容量）の他に、個々の携帯電話機１の電流特性によるバラツキ、個々の電流検出部６による電流値の検出精度によるバラツキ、使用温度条件によるバラツキ及び電源４の電圧バラツキをそれぞれ考慮したマージンが含まれている。
【００５３】
すなわち、予測される電流値の中間値をＡ、基準となるマージン（必要最低の許容量）をＢ、個々の携帯電話機１の電流特性のバラツキ並びに個々の電流検出部６による検出精度のバラツキを考慮したマージンをＣ、使用温度条件によるバラツキを考慮したマージンをＤ、電源４の電圧バラツキを考慮したマージンをＥとすると、最小電流値の初期値はＡ−（Ｂ＋Ｃ＋Ｄ＋Ｅ）、最大電流値の初期値はＡ＋（Ｂ＋Ｃ＋Ｄ＋Ｅ）となる。そして、このような最小電流値及び最大電流値の初期値が、各動作モード毎に予め求められているとともに、電流値テーブル２２に記憶されている。
【００５４】
なお、初期値においては、最小電流値と最大電流値との差は２（Ｂ＋Ｃ＋Ｄ＋Ｅ）であるが、以下に説明するように、この初期値は、個々の携帯電話機１の電流特性のバラツキ並びに個々の電流検出部６による検出精度のバラツキを考慮したマージンＣを含まない値に更新される。すなわち、制御部２のＣＰＵ２１は、各動作モード毎に、電流検出部６により検出（計測）された電流値に所定のマージンを加算して得られる値で最大電流値の対応する動作モードの初期値を更新する一方で、該検出された電流値より該マージンを減算して得られる値で最小電流値の対応する動作モードの初期値を更新する。
【００５５】
ここで、電流検出部６により検出された電流値をＸとすると、更新後においては、最小電流値はＸ−（Ｂ＋Ｄ＋Ｅ）、最大電流値はＸ＋（Ｂ＋Ｄ＋Ｅ）となる。つまり、更新後は、最小電流値と最大電流値との差は２（Ｂ＋Ｄ＋Ｅ）となり、最小電流値及び最大電流値は携帯電話機１の電流特性のバラツキ並びに電流検出部６による検出精度のバラツキを考慮したマージンＣを含まない。つまり、更新後の最小電流値及び最大電流値は、基準となるマージン（必要最低の許容量）Ｂの他には、携帯電話機１の使用温度条件によるバラツキ及び電源電圧のバラツキを考慮したマージンＤ，Ｅのみが含まれている。
【００５６】
なお、このような最小電流値及び最大電流値の更新は、各動作モード毎に、それぞれの初回実行の際の１度だけ行うこととする。
【００５７】
また、制御部２のＣＰＵ２１は、携帯電話機１の動作中（電源ＯＮとなっている期間中）は、以下に説明するようにして、異常電流状態の監視を行う。
【００５８】
すなわち、制御部２のＣＰＵ２１は、電流検出部６より入力される電流値（検出値）と電流値テーブル２２の値（最小電流値及び最大電流値）との比較を行い、この比較により、電流検出部６による検出値が最小電流値を下回っているか否か（不足電流状態が発生しているか否か）、並びに、電流検出部６による検出値が最大電流値を上回っているか否か（過電流状態が発生しているか否か）の監視を行う。
【００５９】
そして、その監視結果（電流検出部６より入力される電流値と電流値テーブル２２の値との比較結果）に応じて、電源スイッチ５をＯＦＦにさせる制御信号を出力する。
【００６０】
以下、図３を参照して動作を説明する。
【００６１】
先ず、電源スイッチ５がＯＮとなると、電源４から主要部３へと電流が流れる。この電流値（携帯電話機１に流れる電流値）は、電流検出部６により検出され（電流値計測工程）、その検出値は制御部２のＣＰＵ２１に入力される。
【００６２】
ＣＰＵ２１は、携帯電話機１の現在の動作モードを確認する（動作モード判定工程；ステップＳ１）。例えば、携帯電話機１が音声通話状態である場合には、ＣＰＵ２１は、電流値テーブル２２より音声通話状態に対応する最小電流値（例えば、図２に示すように２００ｍＡ；ＭＩＮ）を取得し、この最小電流値（ＭＩＮ）と電流検出部６により検出された電流値（Ｉｃｃ）との比較を行う（ステップＳ２）。
【００６３】
ここで、電流検出部６により検出された電流値が最小電流値（不足電流検出しきい値）を下回っていた場合（ステップＳ２のＹＥＳ）には、ＣＰＵ２１は異常電流状態（不足電流状態）と判定し、電源スイッチ５に対し、該電源スイッチ５をＯＦＦ状態とさせる制御信号を出力する（ステップＳ３）。これにより、電源スイッチ５はＯＦＦ状態となり、主要部３への電源供給を完全に遮断する。つまり、携帯電話機１の電源遮断を行う。
【００６４】
他方、検出された電流値（Ｉｃｃ）が最小電流値（ＭＩＮ）を上回っていた場合（ステップＳ２のＮＯ）には、ＣＰＵ２１は検出された電流値と最小電流値との判定結果は「ＯＫ」と判定し、次に最大電流値（例えば、図２に示すように７００ｍＡ；ＭＡＸ）と検出された電流値（Ｉｃｃ）との比較を行う（ステップＳ４）。
【００６５】
ここで、電流検出部６により検出された電流値が最大電流値（過電流検出しきい値）を上回っていた場合（ステップＳ４のＹＥＳ）には、ＣＰＵ２１は異常電流状態（過電流状態）と判定し、電源スイッチ５に対し、該電源スイッチ５をＯＦＦ状態とさせる制御信号を出力する（ステップＳ３）。これにより、電源スイッチ５はＯＦＦ状態となり、主要部３への電源供給を完全に遮断する。つまり、この場合にも、携帯電話機１の電源遮断を行う。
【００６６】
他方、検出された電流値（Ｉｃｃ）が最大電流値を下回っていた場合（ステップＳ４のＮＯ）には、ＣＰＵ２１は検出された電流値と最大電流値との判定結果も「ＯＫ」と判定する。すなわち、現在の電流値は最小電流値から最大電流値の範囲内にあるため正常であると判定し、電源スイッチ５への制御信号はＯＮのままとする。
【００６７】
次に、ＣＰＵ２１は、検出した電流値を用いて、最小電流値及び最大電流値の更新を行う。
【００６８】
すなわち、電流検出部６により検出された電流値をＸ、基準となるマージンをＢ、使用温度条件によるバラツキを考慮したマージンをＤ、電源４の電圧バラツキを考慮したマージンをＥとすると、最小電流値はＡ−（Ｂ＋Ｄ＋Ｅ）、最大電流値はＡ＋（Ｂ＋Ｄ＋Ｅ）に、それぞれ更新する。
【００６９】
つまり、検出（計測）された電流値Ｘよりも所定のマージン（Ｂ＋Ｄ＋Ｅ）だけ大きい値を過電流の検出しきい値として設定（電流値テーブル２２に記憶）し、計測された電流値Ｘよりも所定のマージン（Ｂ＋Ｄ＋Ｅ）だけ小さい値を不足電流の検出しきい値として設定（電流値テーブル２２に記憶）する（検出しきい値設定工程）。
【００７０】
なお、このような電流最小値及び電流最大値の更新は、各動作モード毎に、最初の１回のみ行うとする。つまり、各動作モード毎に別個に、電流値計測工程及び検出しきい値設定工程を行うとともに、これら電流値計測工程及び検出しきい値設定工程は、各動作モード毎に、当該動作モードの初回実行の際の１度だけ行う。
【００７１】
ＣＰＵ２１は、以後、携帯電話機１が電源ＯＮである期間中は、上記のステップＳ１〜Ｓ３の動作を繰り返し行うことにより、異常電流（過電流及び不足電流）の監視を継続的に行い、異常電流が発生した場合には即時に電源遮断を行う。
【００７２】
ここで、上記の更新（検出しきい値設定工程）後は、最小電流値及び最大電流値には個々の携帯電話機１の電流特性のバラツキ並びに個々の電流検出部６による検出精度のバラツキを考慮したマージンＣが含まれない。
【００７３】
従って、更新された最小電流値と最大電流値との差である２（Ｂ＋Ｄ＋Ｅ）は、初期値の最小電流値と最大電流値との差である２（Ｂ＋Ｃ＋Ｄ＋Ｅ）よりも小さい。よって、更新後は、より高精度に異常電流を検出することが可能である。
【００７４】
以上のような第１の実施形態によれば、携帯電話機（装置、電気的駆動装置、携帯情報端末装置）１に流れる電流値を計測し、計測された電流値よりも所定のマージンだけ大きい値並びに小さい値を過電流と不足電流の検出しきい値としてそれぞれ設定するので、これら過電流検出しきい値及び不足電流検出しきい値は、個々の携帯電話機１の電流特性のバラツキ並びに個々の電流検出部６による検出精度のバラツキを考慮したマージンＣを含まない値とすることができる。
【００７５】
そして、携帯電話機１に流れる電流値が、設定された過電流検出しきい値を上回るか、又は、設定された不足電流検出しきい値を下回った場合に、異常電流状態と判定するので、携帯電話機１に故障或いは不具合が生じた場合における異常電流の検出を精度良く行うことができる。
【００７６】
つまり、個々の携帯電話機１にて、電源投入後に電流値を計測し、この計測値を基準として所定のマージンを加算並びに減算することにより過電流と不足電流の検出しきい値をそれぞれ設定するので、マージン量を減らすことが可能となり、精度良く異常電流の検出を行うことができる。
【００７７】
また、特に、携帯電話機１に流れる電流値が設定された不足電流検出しきい値を下回った場合に異常電流状態と判定するので、従来は不可能であった不足電流の検出を行うことができる。
【００７８】
〔第２の実施形態〕
次に、図４を参照して、本発明に係る第２の実施形態について説明する。
【００７９】
第２の実施形態に係る携帯電話機（装置、電気的駆動装置、携帯情報端末装置）５０（図４）は、以下に説明する点でのみ上記の第１の実施形態に係る携帯電話機１と異なり、その他の点では同様であるため、同様の構成要素には同一の符号を付し、その説明を省略する。
【００８０】
携帯電話機５０は、その基本構成は第１の実施形態に係る携帯電話機１と同様であるが、説明の都合上、その表示部８（図４）は主要部３に含まれないものとする。
【００８１】
すなわち、第２の実施形態に係る携帯電話機５０は、別個に電源供給がなされる複数のブロック（例えば、主要部３及び表示部８）を備えて構成されている。
【００８２】
また、主要部３は、異常電流の場合にアラーム音を発生するアラーム音発生部２３（例えば、受話部との兼用も可能）を備えている。
【００８３】
すなわち、携帯電話機５０が備える複数のブロックには、表示部８を有する表示ブロック（例えば、表示部８自体により構成される）と、発音動作が可能な発音ブロック（例えば、主要部３）と、が含まれている。
【００８４】
更に、携帯電話機５０は、電源４から表示部８への電源供給をＯＮ／ＯＦＦ切り替えするための電源スイッチ（電源遮断手段）９と、電源４から表示部８に供給される電流値を検出するための電流検出部（電流値計測手段）１０と、を備えている。
【００８５】
このうち電源スイッチ９は、電源４から表示部８に至る電源線１１に設けられ、ＣＰＵ２１からの制御信号によりＯＮ／ＯＦＦ状態の切り替え制御がなされる。この電源スイッチ９がＯＮの場合には電源４から表示部８へ電源供給がなされ（表示部８が電源ＯＮ状態となり）、電源スイッチ９がＯＦＦの場合には電源４から表示部８への電流供給が完全に遮断される（表示部８が電源ＯＦＦ状態となる）。
【００８６】
また、電流検出部１０は、例えば、電源線１１において電源スイッチ９と表示部８との間に設けられている。この電流検出部１０は、電源４から表示部８に供給される電流値を検出し、その検出値を制御部２に入力する。
【００８７】
本実施形態の場合、ＣＰＵ（異常電流判定手段）２１は、各ブロック毎に別個に、異常電流状態の判定を行う。
【００８８】
そのために、電流値テーブル２２には、主要部３に対する検出しきい値の他に、表示部８に検出しきい値も記憶される。
【００８９】
なお、異常電流状態の判定や検出しきい値の初期値の更新については、上記の第１の実施形態と同様であるため説明を省略する。
【００９０】
次に、動作を説明する。
【００９１】
例えば、主要部３（表示ブロック以外のブロック）のみが異常電流状態であると判定された場合、ＣＰＵ２１は、電源スイッチ５をＯＦＦ状態として主要部３への電源供給を遮断する前に、異常電流状態が発生した旨を表示部８の表示画面８１に表示（具体的には、例えば、図４に示すように「電流異常発生！」との報知表示）させる制御を行い、その旨を使用者に報知する。加えて、点検・修理を促すメッセージを表示させるようにしても良い。このように、ＣＰＵ２１は、表示報知制御手段として機能する。
【００９２】
その後、ＣＰＵ２１は、電源スイッチ５、９のうち電源スイッチ５のみをＯＦＦ状態とさせる。従って、表示部８には引き続き電源供給がなされているので、表示部８には先ほどのメッセージが表示されたままである。なお、表示部８は、使用者が電源ＯＦＦボタンを操作することにより電源ＯＦＦ状態とすることが可能となっている。
【００９３】
他方、表示部８（発音ブロック以外のブロック）のみが異常電流状態であると判定された場合、ＣＰＵ２１は、電源スイッチ５、９のうち電源スイッチ９のみをＯＦＦ状態として表示部８への電源供給を遮断する一方で、アラーム音発生部２３によりアラームを発音させる制御を行う。このように、ＣＰＵ２１は、発音報知制御手段として機能する。
【００９４】
なお、アラーム音発生部２３によるアラーム音は、例えば、使用者が電源ＯＦＦボタンを操作することにより停止することが可能となっている。
【００９５】
以上のような第２の実施形態によれば、携帯電話機（装置、電気的駆動装置、携帯情報端末装置）５０が、別個に電源供給がなされる複数のブロック（例えば、表示ブロック及び発音ブロック）を備えて構成されている場合に、各ブロック毎に別個に異常電流状態の判定を行うので、使用者は、何れのブロックが異常電流状態であるかを認識することができる。
【００９６】
具体的には、表示ブロック以外のブロック（例えば、発音ブロック）が異常電流状態であると判定された場合には、該異常電流状態が発生した旨を表示部８における表示により報知するので、使用者は、この報知により、表示ブロック以外のブロックが異常電流状態である旨を認識することができる。
【００９７】
また、発音ブロック以外のブロック（例えば、表示ブロック）が異常電流状態であると判定された場合には、該異常電流状態が発生した旨を発音ブロックでの発音動作により報知するので、使用者は、この報知により、発音ブロック以外のブロックが異常電流状態である旨を認識することができる。
【００９８】
〔第３の実施形態〕
次に、図５を参照して、本発明に係る第３の実施形態について説明する。
【００９９】
第３の実施形態に係る携帯電話機（装置、電気的駆動装置、携帯情報端末装置）７０（図５）は、以下に説明する点でのみ上記の第１の実施形態に係る携帯電話機１と異なり、その他の点では同様であるため、同様の構成要素には同一の符号を付し、その説明を省略する。
【０１００】
携帯電話機７０は、第１の実施形態に係る携帯電話機１の構成に加えて、当該携帯電話機７０の温度（使用温度）を計測する温度センサ（温度計測手段）３１と、当該携帯電話機７０の使用温度に応じて検出しきい値（最小電流値及び最大電流値）を補正するための補正係数を記憶した補正係数記憶テーブル３２と、を備えている。
【０１０１】
このうち補正係数記憶テーブル３２は、携帯電話機７０の使用温度毎に、それぞれ予め求められた補正係数（最小電流値用の補正係数及び最大電流値用の補正係数）を記憶している。ここで、これらの補正係数を、電流値テーブル２２に記憶された検出しきい値（最小電流値及び最大電流値）にそれぞれ乗算することにより、該乗算後の検出しきい値は、使用温度条件によるバラツキを考慮したマージンＤを含まない値となるようになっている。つまり、電流値テーブル２２に記憶された検出しきい値に補正係数を乗算する補正を行うことにより、最小電流値はＡ−（Ｂ＋Ｅ）、最大電流値はＡ＋（Ｂ＋Ｅ）となるように、補正係数は予め求められている。
【０１０２】
また、温度センサ３１は、携帯電話機７０の温度を計測し（温度計測工程を行い）、この計測値を制御部２に入力する。
【０１０３】
本実施形態の場合、ＣＰＵ２１は、温度センサ３１による計測値に応じた補正係数を補正係数記憶テーブル３２より取得し（補正係数記憶テーブル３２より参照し）、該取得した補正係数を用いて検出しきい値（最小電流値及び最大電流値）を補正する（検出しきい値補正工程を行う）。つまり、ＣＰＵ２１は、検出しきい値補正手段として機能する。
【０１０４】
また、ＣＰＵ２１は、このように補正された検出しきい値、すなわち、携帯電話機７０の使用温度条件によるバラツキを考慮したマージンＤを含まない検出しきい値を用いて、異常電流状態の判定を行う。
【０１０５】
つまり、本実施形態の場合、補正後の検出しきい値における所定のマージンには、例えば、必要最低の許容量（マージンＢ）の他には、電源電圧のバラツキを考慮したマージンＥのみが含まれている。従って、上記の第１の実施形態の場合よりも精度良く異常電流状態を検出することができる。
【０１０６】
以上のような第３の実施形態によれば、携帯電話機（装置、電気的駆動装置、携帯情報端末装置）７０の使用温度に応じて検出しきい値をそれぞれ補正するための補正係数を補正係数記憶テーブル３２に記憶しておき、携帯電話機７０の使用温度を計測し、この計測された使用温度に応じた補正係数を補正係数記憶テーブル３２より参照し、該参照した補正係数を用いて検出しきい値を補正し、該補正によりマージンＤを含まない値とされた検出しきい値を用いて異常電流状態の判定を行うので、より精度良く異常電流状態を検出することができる。
【０１０７】
〔第４の実施形態〕
第４の実施形態では、携帯電話機１（５０，７０）がＣＰＵ２１により異常電流状態と判定されて電源遮断された後、再度電源投入された直後にも異常電流状態と判定された場合には、再度電源が入らないようにＣＰＵ２１がロックをかけるように構成されている。すなわち、ＣＰＵ１２は、該ＣＰＵ２１により異常電流状態と判定されて携帯電話機１（５０，７０）が電源遮断された後、再度電源投入された直後にも異常電流状態と判定された場合には、当該携帯電話機１（５０，７０）へのその後の電源投入トリガを無効化する電源投入無効化手段として機能する。なお、再度電源投入された直後には異常電流状態と判定されない場合（正常であれば）、携帯電話機１がそのまま動作を継続できるようにする。
【０１０８】
第４の実施形態によれば、携帯電話機１（５０，７０）が異常電流状態と判定されて電源遮断された後、再度電源投入された際にも異常電流状態と判定された場合には、当該携帯電話機１へのその後の電源投入トリガを無効化するので、無駄な操作及び制御を繰り返す必要が無くなる。
【０１０９】
なお、上記の各実施形態では、電気的駆動装置（装置）の例として携帯情報端末装置、特に、携帯電話機１、５０、７０を例示したが、本発明はこれに限らず、その他の携帯情報端末装置（例えば、ＰＨＳ或いはＰＤＡ）や、携帯情報端末装置に限らずその他の電気的駆動装置に広く適用可能である。
【０１１０】
また、第３の実施形態を除く上記の各実施形態では、所定のマージンには、必要最低の許容量（マージンＢ）の他には、装置の使用温度条件によるバラツキ及び電源電圧のバラツキを考慮した値（マージンＤ、Ｅ）のみが含まれている例を説明したが、必要最低の許容量（マージンＢ）の他には装置の使用温度条件によるバラツキＤのみが含まれていることとしても良い。
【０１１１】
また、上記の第３の実施形態では、所定のマージンには、必要最低の許容量（マージンＢ）の他には、電源電圧のバラツキを考慮した値（マージンＥ）のみが含まれている例を説明したが、所定のマージンには必要最低の許容量（マージンＢ）のみが含まれていることとしても良い。
【０１１２】
或いは、上記の各実施形態において、所定のマージンには、個々の携帯電話機１の電流特性のバラツキ並びに個々の電流検出部６による検出精度のバラツキを考慮したマージンＣ以外のマージンとして、基準となるマージンＢ、使用温度条件によるバラツキを考慮したマージンＤ及び電源４の電圧バラツキを考慮したマージンＥ以外のマージンを含むこととしても良い。
【図面の簡単な説明】
【０１１３】
【図１】本発明の第１の実施形態に係る電気的駆動装置を示すブロック図である。
【図２】検出しきい値記憶テーブルを示す図である。
【図３】電気的駆動装置が行う主要な制御フローを示すフローチャートである。
【図４】本発明の第２の実施形態に係る電気的駆動装置を示すブロック図である。
【図５】本発明の第３の実施形態に係る電気的駆動装置を示すブロック図である。
【符号の説明】
【０１１４】
１    携帯電話機（装置、電気的駆動装置、携帯情報端末装置）
３    主要部（ブロック、発音ブロック）
６    電流検出部（電流値計測手段）
５    電源スイッチ（電源遮断手段）
８    表示部（ブロック、表示ブロック）
９    電源スイッチ（電源遮断手段）
１０  電流検出部（電流値計測手段）
２１  ＣＰＵ（検出しきい値設定手段、異常電流判定手段、電源遮断手段、電源投入無効化手段、動作モード判定手段、表示報知制御手段、発音報知制御手段、検出しきい値補正手段）
２２  電流値テーブル（テーブル、検出しきい値記憶テーブル）
３１  温度センサ（温度計測手段）
３２  補正係数記憶テーブル（テーブル）
５０  携帯電話機（装置、電気的駆動装置、携帯情報端末装置）
７０  携帯電話機（装置、電気的駆動装置、携帯情報端末装置）
【図１】
2005094950.tif 000003
【図２】
2005094950.tif 000004
【図３】
2005094950.tif 000005
【図４】
2005094950.tif 000006
【図５】
2005094950.tif 000007